(57)【特許請求の範囲】
【請求項１】
エアゾール缶胴部２の頂壁を貫設させて噴出用ステムを上方付勢状態で起立すると共に、該ステムへノズル付き押下げヘッド５を嵌合させたエアゾール式噴霧器において、上記エアゾール缶胴部２の上端部へ周壁６下部を嵌合させ、かつ該周壁一部に上記ノズル４を挿入させる内外両面開口の開口部７を形成した起立筒８を有し、
上記開口部７側面にノズル付き押下げヘッド５と起立筒８との相対回動でノズル４が着脱自在に嵌合可能なヘッド押下げロック用の第１嵌合溝９と、ヘッド押下げ状態での上記相対回動でノズルが着脱自在に嵌合可能な廃棄時ガス抜き用の通気孔１０ａ付き第２嵌合溝１０とを形成し、
上記第１嵌合溝９へのノズル４の嵌合で上記ヘッド５を押下げ不能に設けると共に、第２嵌合溝１０へのノズル４の嵌合でヘッド押下げ状態を保持可能に設けたことを特徴とするエアゾール式噴霧器。
【請求項２】
上記起立筒８をエアゾール缶胴部２の上端部へ回動不能に嵌着させると共に、ノズル付き押下げヘッド頂壁上面へ起倒自在にヘッド回動用の摘み片１１を付設したことを特徴とする請求項１記載のエアゾール式噴霧器。
【請求項３】
上記ノズル付き押下げヘッド５の頂壁上面にコインが嵌合可能なヘッド回動用の嵌合溝１２を形成したことを特徴とする請求項１記載のエアゾール式噴霧器。
【発明の詳細な説明】
【０００１】
【発明の属する技術分野】
本発明はエアゾール式噴霧器に関する。
【０００２】
【従来の技術】
エアゾール式噴霧器は、例えば実開昭６３−２０９６８号公報に記載されているように、エアゾール缶胴部の頂壁を貫通して上方付勢状態で起立する噴出用ステムへ嵌合させたノズル付き押下げヘッドの押下げによりノズルから霧状物等を噴出させるようになっている。
【０００３】
【発明が解決しようとする課題】
上記のようなエアゾール式噴霧器では使用時以外は押下げヘッドを押下げ不能にすることが望まれている。また、廃棄時には残量が少なく、エアゾール缶内の圧力が低いためガス抜きに時間がかかり、この間押下げヘッドを押し下げておかなければならず面倒であるためガス抜きが不十分な状態で廃棄されることがあった。
【０００４】
本発明は、上記問題点に鑑みてなされたもので、押下げヘッドを押下げ不能にロック可能で、かつ廃棄時のガス抜き時に押下げヘッドを押下げ状態に保持可能なエアゾール式は噴霧器を提供することを目的とする。
【０００５】
【課題を解決するための手段】
第１の手段として、エアゾール缶胴部２の頂壁を貫設させて噴出用ステムを上方付勢状態で起立すると共に、該ステムへノズル付き押下げヘッド５を嵌合させたエアゾール式噴霧器において、上記エアゾール缶胴部２の上端部へ周壁６下部を嵌合させ、かつ該周壁一部に上記ノズル４を挿入させる内外両面開口の開口部７を形成した起立筒８を有し、上記ノズル付き押下げヘッド５と起立筒８との相対回動でノズル４を介してヘッドを押下げ不能にロックする第１係合手段と、ヘッド押下げ状態での上記相対回動でノズルを介してヘッドを廃棄時ガス抜き可能な押下げ状態にする第２係合手段とを上記開口部７内に設けた。
【０００６】
第２の手段として、第１の手段を有すると共に、上記開口部７側面に、ノズル付き押下げヘッド５と起立筒８との相対回動でノズル４が着脱自在に嵌合可能なヘッド押下げロック用の第１嵌合溝９と、ヘッド押下げ状態での上記相対回動でノズルが着脱自在に嵌合可能な廃棄時ガス抜き用の通気孔１０ａ付き第２嵌合溝１０とを形成して、これら両溝で上記第１および第２係合手段を形成した。
【０００７】
第３の手段として、第１又は第２の手段を有すると共に、上記起立筒８をエアゾール缶胴部２の上端部へ回動不能に嵌着させると共に、ノズル付き押下げヘッド頂壁上面へ起倒自在にヘッド回動用の摘み片１１を付設した。
【０００８】
第４の手段として、第１又は第２の手段を有すると共に、上記ノズル付き押下げヘッド５の頂壁上面にコインが嵌合可能なヘッド回動用の嵌合溝１２を形成した。
【０００９】
【発明の実施の形態】
まず、本願発明に係るエアゾール式噴霧器の公知の部分について説明すると、エアゾール缶１の胴部２の上端部に環状突条を周設すると共に、その胴部上端面を閉塞する頂壁外周部を環状突条に巻き締め、かつ頂壁中央部を貫設させて噴出用ステムを上方付勢状態で起立すると共に、この噴出用ステム上部へノズル４付き押下げヘッド５を嵌合させている。
【００１０】
本発明では、エアゾール缶胴部２の環状突条へ周壁６下端部を回動不能に嵌着させて周壁６一部に切欠部７を形成し、この切欠部へノズル４を挿入させた起立筒８を設けている。切欠部７の一方の側面上部には起立筒８内面に開口する径方向の第１嵌合溝９を形成し、かつ他方の側面には起立筒８内面に開口すると共に、起立筒８外面に開口する通気孔１０ａへ連通する径方向の第２嵌合溝１０を形成する。これら第１および第２嵌合溝は上記と異なって切欠部の同一側面に形成することも可能である。
【００１１】
さらに、ノズル付き押下げヘッド５頂壁上面へヘッド回動用の摘み片１１を起倒自在に付設する。ヘッド回動用の手段としては摘み片に限らず、例えば図３に示すように、押下げヘッド５の頂壁上面にコインが嵌合可能な嵌合溝１２を形成してもよい。
なお、上記では起立筒８を胴部２の環状突条へ回動不能に嵌着させているが、これに限らず回動可能に嵌合させてもよい。
【００１２】
次に本実施形態の作用について説明する。
ノズル４から霧状物等を噴出させるには、図１に示す状態においてノズル付き押下げヘッド５を押し下げればよい。使用後、押下げヘッド５を押下げ不能とするためには、摘み片１１を摘んで押下げヘッド５を回動させることによりノズル４を第１嵌合溝９へ嵌合させればよい。押下げヘッド５を図１に示す使用可能な状態に戻すには、同ヘッドを上記と逆方向へ回動させればよく、するとノズル４は第１嵌合溝９から離脱するため、押下げヘッドの押下げが可能になる。
【００１３】
エアゾール缶を廃棄するには、摘み片１１を摘んで押下げヘッド５を押下げた状態で同ヘッドを回動させて、図２に示すようにノズル４を第２嵌合溝１０へ嵌合させればよく、するとエアゾール缶内のガスがノズル４を介して通気孔１０ａから噴出する。この押下げ状態を所定時間継続させることで廃棄時のガス抜きをほぼ完全に行うことができる。廃棄は図２に示す状態で行う。
【００１４】
図３に示すように、摘み片１１の代わりに嵌合溝１２を設ける場合には、この嵌合溝に図示しないコインを嵌合させて押下げヘッドを回動させる。あるいは摘み片１１も嵌合溝１２も設けることなく、ノズル４をつかんで押下げヘッドを回動させるようにしてもよい。
なお、起立筒８を胴部２へ上記のように回動不能ではなく、回動自在に嵌合させる場合には、起立筒８を回動させることでノズル４を第１または第２嵌合溝へ嵌合させることができる。
【００１５】
【発明の効果】
本発明は、ノズル付き押下げヘッドと起立筒との相対回動でノズルを介してヘッドを押下げ不能にロックする第１嵌合溝を設けたので、不使用時には上記回動操作のみで押下げヘッドを押下げ不能にすることができ、このため不用意な噴出を防止することができる。
【００１６】
また、ヘッド押下げ状態での上記相対回動でヘッドを廃棄時ガス抜き可能な押下げ状態にする第２嵌合溝を設けたので、廃棄時におけるガス抜きを容易に行うことができる。
さらに、請求項２に係る発明ではノズル付き押下げヘッドに摘み片を設けたので、また、請求項３に係る発明ではコインが嵌合可能な嵌合溝を設けたので、いずれの場合も押下げヘッドの回動が容易になる。
【図面の簡単な説明】
【図１】本発明に係るエアゾール式噴霧器の要部を示す斜視図。
【図２】同じく、ガス抜き状態を示す斜視図。
【図３】同じく、変形例を示す斜視図。
【符号の説明】
１  エアゾール缶                    １２  嵌合溝
２  胴部
４  ノズル
５  ノズル付き押下げヘッド
６  周壁
７  開口部
８  起立筒
９  第１嵌合溝
１０  第２嵌合溝
１０ａ  通気孔
１１  摘み片
【図１】
0003936144.tif 000002
【図２】
0003936144.tif 000003
【図３】
0003936144.tif 000004